(57)【要約】【課題】  投写面上に映像光を投写しているときであっても、投写型映像表示装置と投写面との距離の短縮を図るために設けられた反射ミラーの配置精度を良好に保つことを可能とする投写型映像表示装置を提供する。【解決手段】  投写型映像表示装置１００は、映像光生成部２００と投写光学系３００とを収容する筐体４００を備える。投写型映像表示装置１００は、透過領域４１０が設けられた防護カバー４００ａと、筐体４００の持ち運びに用いる持ち手部を有する。投写光学系３００は、反射ミラー３２０を有する。持ち手部の一端が取付けられる第１取付け部は、側壁４０２に設けられる。持ち手部の他端が取付けられる第２取付け部は、側壁４０３に設けられる。側壁４０２の内面は、側壁４０３の対面と対向している。【選択図】  図２
2009244378.tif 000002
【特許請求の範囲】
【請求項１】
映像光を生成する映像光生成部と前記映像光を投写面上に投写する投写光学系とを収容する筐体を備えた投写型映像表示装置であって、
前記投写光学系は、前記映像光生成部から出射された前記映像光を反射する反射ミラーを有しており、
前記反射ミラーで反射された前記映像光の光路上に設けられた防護カバーと、前記筐体の持ち運びに用いる持ち手部とを備え、
前記防護カバーは、前記映像光を透過する透過領域を有しており、
前記筐体は、前記持ち手部の一端が取付けられる第１取付け部を有する第１側壁と、前記持ち手部の他端が取付けられる第２取付け部を有する第２側壁とを有しており、
前記第１側壁の内面は、前記第２側壁の内面と対向していることを特徴とする投写型映像表示装置。
【請求項２】
前記持ち手部は、前記映像光生成部及び前記投写光学系を収容する前記筐体を前記筐体の下面側から支持する剛性を有するハンドルであり、
前記第１取付け部及び前記第２取付け部は、回動軸を中心として少なくとも半円弧状に前記ハンドルが回動するように前記ハンドルを支持することを特徴とする請求項１に記載の投写型映像表示装置。
【請求項３】
前記筐体の下面には、前記筐体の内側から前記筐体の外側に連通する排気口が設けられていることを特徴とする請求項２に記載の投写型映像表示装置。
【請求項４】
前記筐体は、収容口を有する収容ポケットを有しており、
前記第１取付け部及び前記第２取付け部は、前記ハンドルを摺動可能に支持しており、
前記ハンドルは、前記ハンドルの摺動によって、前記収容ポケットに設けられた前記収容口をカバーすることを特徴とする請求項２に記載の投写型映像表示装置。
【請求項５】
前記反射ミラーは、前記反射ミラーと前記投写面との間において、前記映像光生成部から出射された前記映像光を集光し、
前記透過領域は、前記反射ミラーによって前記映像光が集光される位置近傍に配置されることを特徴とする請求項１に記載の投写型映像表示装置。
【請求項６】
前記防護カバーは、前記反射ミラー側から前記投写面側に連通する開口を有しており、
前記透過領域は、前記開口であることを特徴とする請求項１に記載の投写型映像表示装置。
【請求項７】
前記防護カバーの少なくとも一部は、光透過性部材によって構成されており、
前記透過領域は、前記光透過性部材によって構成されることを特徴とする請求項１に記載の投写型映像表示装置。
【請求項８】
前記第１取付け部及び前記第２取付け部は、前記投写光学系から出射された前記映像光の光軸に沿った垂直面を挟んで設けられることを特徴とする請求項１に記載の投写型映像表示装置。
【発明の詳細な説明】
【技術分野】
【０００１】
本発明は、映像光を投写する投写光学系を有する投写型映像表示装置に関する。
【背景技術】
【０００２】
従来、光源が発する光を変調する光変調素子と、光変調素子から出射される光を投写面（スクリーン）上に投写する投写レンズとを有する投写型映像表示装置が知られている。
【０００３】
ここで、スクリーン上に映像を大きく表示するためには、投写レンズとスクリーンとの距離を長くとる必要がある。これに対して、投写レンズから出射される光をスクリーン側に反射する反射ミラーを利用して、投写型映像表示装置とスクリーンとの距離の短縮を図った投写型表示システムが提案されている（例えば、特許文献１）。
【０００４】
ここで、投写型映像表示装置とスクリーンとの距離の短縮を図ると、投写型映像表示装置がスクリーンに近くなり、投写型映像表示装置がユーザの視野に入ることになるため、スクリーンの上下又は横から斜め投写を行う必要がある。例えば、上述した投写型表示システムでは、光変調素子と投写光学系との位置関係を上下方向にシフトするとともに、反射ミラーとして凹面ミラーを用いることにより、投写距離の短縮と斜め投写を行っている。
【特許文献１】特開２００６−２３５５１６号公報（請求項１、図１など）
【発明の開示】
【発明が解決しようとする課題】
【０００５】
ここで、投写面上に投写される映像を適切に表示するためには、反射ミラーの配置は非常に重要な要素である。従って、ユーザが反射ミラーに接触すると、反射ミラーの角度などが変わってしまい、投写面上に投写される映像が適切に表示されなくなってしまう。
【０００６】
そこで、本発明は、上述した課題を解決するためになされたものであり、投写面上に映像光を投写しているときであっても、投写型映像表示装置と投写面との距離の短縮を図るために設けられた反射ミラーの配置精度を良好に保つことを可能とする投写型映像表示装置を提供することを目的とする。
【課題を解決するための手段】
【０００７】
第１の特徴に係る投写型映像表示装置は、映像光を生成する映像光生成部（映像光生成部２００）と前記映像光を投写面（投写面２１０）上に投写する投写光学系（投写光学系３００）とを収容する筐体（筐体４００）を備える。前記投写光学系は、前記映像光生成部から出射された前記映像光を反射する反射ミラー（反射ミラー３２０）を有する。投写型映像表示装置は、前記反射ミラーで反射された前記映像光の光路上に設けられた防護カバー（防護カバー４００ａ）と、前記筐体の持ち運びに用いる持ち手部（ハンドル５１０及びハンドル５２０）とを備える。前記防護カバーは、前記映像光を透過する透過領域（透過領域４１０）を有する。前記筐体は、前記持ち手部の一端が取付けられる第１取付け部（取付け部４２１及び取付け部４３１）を有する第１側壁（側壁４０２）と、前記持ち手部の他端が取付けられる第２取付け部（取付け部４２２及び取付け部４３２）を有する第２側壁（側壁４０３）とを有する。前記第１側壁の内面は、前記第２側壁の内面と対向している。
【０００８】
第１の特徴によれば、防護カバーは、反射ミラーで反射された映像光の光路上に設けられている。従って、ユーザが反射ミラーに接触して反射ミラーの角度などが変わることを抑制することができる。また、防護カバーは、反射ミラーで反射された映像光を透過する透過領域を有する。従って、投写面上に照射される映像光が防護カバーによって妨げられることがない。このように、投写型映像表示装置と投写面との距離の短縮を図るために設けられた反射ミラーの配置精度を良好に保つことができる。
【０００９】
ここで、投写光学系の重量は、反射ミラーが設けられていない構成に比べて大きいことに留意すべきである。従って、対向する側壁に設けられた取付け部に持ち手部が取付けられることによって、ユーザは、投写型映像表示装置を容易に持ち運ぶことができる。
【００１０】
第１の特徴において、前記持ち手部は、前記映像光生成部及び前記投写光学系を収容する前記筐体を前記筐体の下面側から支持する剛性を有するハンドルである。前記第１取付け部及び前記第２取付け部は、回動軸を中心として少なくとも半円弧状に前記ハンドルが回動するように前記ハンドルを支持する。
【００１１】
第１の特徴において、前記筐体の下面には、前記筐体の内側から前記筐体の外側に連通する排気口（排気口４４０）が設けられている。
【００１２】
第１の特徴において、前記筐体は、収容口（収容口４５１）を有する収容ポケット（収容ポケット４５０）を有する。前記第１取付け部及び前記第２取付け部は、前記ハンドルを摺動可能に支持する。前記ハンドルは、前記ハンドルの摺動によって、前記収容ポケットに設けられた前記収容口をカバーする。
【００１３】
第１の特徴において、前記反射ミラーは、前記反射ミラーと前記投写面との間において、前記映像光生成部から出射された前記映像光を集光する。前記透過領域は、前記反射ミラーによって前記映像光が集光される位置近傍に配置される。
【００１４】
第１の特徴において、前記防護カバーは、前記反射ミラー側から前記投写面側に連通する開口を有する。前記透過領域は、前記開口である。
【００１５】
第１の特徴において、前記防護カバーの少なくとも一部は、光透過性部材によって構成される。前記透過領域は、前記光透過性部材によって構成される。
【００１６】
第１の特徴において、前記第１取付け部及び前記第２取付け部は、前記投写光学系から出射された前記映像光の光軸に沿った垂直面（基準面Ａ）を挟んで設けられる。
【発明の効果】
【００１７】
本発明によれば、スクリーン上に映像光を投写しているときであっても、投写型映像表示装置とスクリーンとの距離の短縮を図るために設けられた反射ミラーの配置精度を良好に保つことを可能とする投写型映像表示装置を提供することができる。
【発明を実施するための最良の形態】
【００１８】
以下において、本発明の実施形態に係る投写型映像表示装置について、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［第１実施形態］
（投写型映像表示装置の構成）
以下において、第１実施形態に係る投写型映像表示装置の構成について、図面を参照しながら説明する。図１は、第１実施形態に係る投写型映像表示装置１００の構成を示す図である。
【００２１】
図１に示すように、投写型映像表示装置１００は、映像光生成部２００と投写光学系３００とを収容する筐体４００を有する。第１実施形態では、筐体４００の一部は、防護カバー４００ａを構成する。投写型映像表示装置１００は、設置面２２０上に設置される。
【００２２】
映像光生成部２００は、映像光を生成する。具体的には、映像光生成部２００は、映像光を出射する表示素子４０を少なくとも有する。表示素子４０は、投写光学系３００に設けられた投写レンズ３１０の光軸Ｌに対してシフトした位置に設けられている。表示素子４０は、例えば、反射型液晶パネル、透過型液晶パネル、ＤＭＤ（Ｄｉｇｉｔａｌ  Ｍｉｃｒｏｍｉｒｒｏｒ  Ｄｅｖｉｃｅ）などである。映像光生成部２００の詳細については後述する（図４を参照）。
【００２３】
投写光学系３００は、映像光生成部２００から出射された映像光を投写する。ここで、投写光学系３００は、投写面２１０上に映像光を投写する。具体的には、投写光学系３００は、投写レンズ３１０と、反射ミラー３２０とを有する。
【００２４】
投写レンズ３１０は、映像光生成部２００から出射された映像光を反射ミラー３２０側に出射する。
【００２５】
反射ミラー３２０は、投写レンズ３１０から出射された映像光を反射する。反射ミラー３２０は、映像光を集光した上で、映像光を広角化する。例えば、反射ミラー３２０は、映像光生成部２００側に凹面を有する非球面ミラーである。
【００２６】
防護カバー４００ａは、反射ミラー３２０を保護するカバーである。防護カバー４００ａは、少なくとも、反射ミラー３２０で反射された映像光の光路上に設けられている。防護カバー４００ａは、映像光を透過する透過領域４１０を有する。
【００２７】
ここで、第１実施形態では、Ｘ軸、Ｙ軸及びＺ軸は互いに略直交する。図１に示すように、設置面２２０がＸ軸及びＹ軸によって定義される。投写レンズ３１０の光軸Ｌに略平行な方向がＸ軸によって定義される。設置面２２０に略直交する垂直方向がＺ軸によって定義される。
【００２８】
筐体４００は、ハンドル５１０及びハンドル５２０が取付けられている。ハンドル５１０及びハンドル５２０は、筐体４００の下面４０１側から筐体４００を支持する剛性を有する。筐体４００の下面４０１と設置面２２０との間には、ハンドル５１０及びハンドル５２０によって空隙が形成される。
【００２９】
筐体４００は、回動軸５３１を中心としてハンドル５１０を回動可能に支持する。同様に、筐体４００は、回動軸５３２を中心としてハンドル５２０を回動可能に支持する。なお、回動軸５３１及び回動軸５３２は、設置面２２０と略平行である。
【００３０】
（ハンドルの回動）
以下において、第１実施形態に係るハンドルの回動について、図面を参照しながら説明する。図２及び図３は、第１実施形態に係るハンドルの回動を示す図である。
【００３１】
図２及び図３に示すように、筐体４００は、下面４０１と、側壁４０２と、側壁４０３と、側壁４０４と、側壁４０５とを有する。下面４０１には、排気口４４０が設けられる。
【００３２】
排気口４４０は、筐体４００内の空気を排気するための開口である。例えば、映像光生成部２００及び投写光学系３００によって生じる熱を帯びた空気が排気口４４０から排気される。筐体４００の下面４０１と設置面２２０との間に空隙が形成されるため、筐体４００内の空気が排気口４４０から排気される。
【００３３】
側壁４０２は、ハンドル５１０の一端が取付けられる取付け部４２１と、ハンドル５２０の一端が取付けられる取付け部４２２とを有する。側壁４０３は、ハンドル５１０の他端が取付けられる取付け部４３１と、ハンドル５２０の他端が取付けられる取付け部４３２とを有する。
【００３４】
側壁４０２の内面は、基準面Ａを挟んで側壁４０３の内面と対向する。基準面Ａは、投写レンズ３１０の光軸Ｌに沿ったＸ−Ｚ面である。
【００３５】
側壁４０４の内面は、映像光生成部２００及び投写光学系３００を挟んで側壁４０５の内面と対向する。
【００３６】
取付け部４２１及び取付け部４３１は、回動軸５３１を中心としてハンドル５１０を回動可能に支持する。具体的には、取付け部４２１及び取付け部４３１は、Ｂ方向において少なくとも半円弧状にハンドル５１０が回動するようにハンドル５１０を支持する。
【００３７】
取付け部４２２及び取付け部４３２は、回動軸５３２を中心としてハンドル５２０を回動可能に支持する。具体的には、取付け部４２２及び取付け部４３２は、Ｃ方向において少なくとも半円弧状にハンドル５２０が回動するようにハンドル５２０を支持する。
【００３８】
ハンドル５１０は、側壁４０２に沿った部分５１１ａと、側壁４０３に沿った部分５１１ｂと、設置面２２０と略平行な部分５１２とを有する。ここで、部分５１１ａ及び部分５１１ｂの長さＸ１は、筐体４００の高さＸ０の半分よりも長い。これによって、ハンドル５１０は、Ｂ方向において半円弧状に回動する。
【００３９】
ハンドル５２０は、側壁４０２に沿った部分５２１ａと、側壁４０３に沿った部分５２１ｂと、設置面２２０と略平行な部分５２２とを有する。ここで、部分５２１ａ及び部分５２１ｂの長さＹ１は、筐体４００の高さＹ０の半分よりも長い。これによって、ハンドル５２０は、Ｃ方向において半円弧状に回動する。
【００４０】
図２に示すように、ハンドル５１０及びハンドル５２０は、筐体４００の上方に回動された状態において、筐体４００の持ち運びに用いる持ち手部として機能する。すなわち、ユーザは、部分５１２及び部分５２２を持って、筐体４００を運ぶことが可能である。
【００４１】
一方で、図３に示すように、ハンドル５１０及びハンドル５２０は、筐体４００の下方に回動された状態において、筐体４００を支持する脚部として機能する。すなわち、部分５１２及び部分５２２が設置面２２０上に配置されて、投写型映像表示装置１００が設置面２２０上に設置される。
【００４２】
なお、ハンドル５１０及びハンドル５２０の形状は、図２及び図３に示す形状に限定されないことに留意すべきである。部分５１１ａ及び部分５１１ｂは、ハンドル５１０が回動可能な形状であればよい。同様に、部分５２１ａ及び部分５２１ｂは、ハンドル５２０が回動可能な形状であればよい。また、部分５１２及び部分５２２は、ユーザが持つことが可能な形状で、かつ、設置面２２０上に配置可能な形状であればよい。
【００４３】
（映像光生成部の構成）
以下において、第１実施形態に係る映像光生成部の構成について、図面を参照しながら説明する。図４は、第１実施形態に係る映像光生成部２００を主として示す図である。映像光生成部２００は、図４に示した構成に加えて、電源回路（不図示）、映像信号処理回路（不図示）などを有する。ここでは、表示素子４０が透過型液晶パネルであるケースについて例示する。
【００４４】
映像光生成部２００は、光源１０と、フライアイレンズユニット２０と、ＰＢＳアレイ３０と、複数の液晶パネル４０（液晶パネル４０Ｒ、液晶パネル４０Ｇ、液晶パネル４０Ｂ）と、クロスダイクロイックプリズム５０とを有する。
【００４５】
光源１０は、バーナ及びリフレクタによって構成されるＵＨＰランプなどである。光源１０が発する光は、赤成分光、緑成分光及び青成分光を含む。
【００４６】
フライアイレンズユニット２０は、光源１０が発する光を均一化する。具体的には、フライアイレンズユニット２０は、フライアイレンズ２０ａ及びフライアイレンズ２０ｂによって構成される。
【００４７】
フライアイレンズ２０ａ及びフライアイレンズ２０ｂは、それぞれ、複数の微少レンズによって構成される。各微少レンズは、光源１０が発する光が液晶パネル４０の全面に照射されるように、光源１０が発する光を集光する。
【００４８】
ＰＢＳアレイ３０は、フライアイレンズユニット２０から出射された光の偏光状態を揃える。第１実施形態では、ＰＢＳアレイ３０は、フライアイレンズユニット２０から出射された光をＰ偏光に揃える。
【００４９】
液晶パネル４０Ｒは、赤成分光の偏光方向を回転させることによって赤成分光を変調する。液晶パネル４０Ｒの光入射面側には、一の偏光方向（例えば、Ｐ偏光）を有する光を透過して、他の偏光方向（例えば、Ｓ偏光）を有する光を遮光する入射側偏光板４１Ｒが設けられている。液晶パネル４０Ｒの光出射面側には、一の偏光方向（例えば、Ｐ偏光）を有する光を遮光して、他の偏光方向（例えば、Ｓ偏光）を有する光を透過する出射側偏光板４２Ｒが設けられている。
【００５０】
同様に、液晶パネル４０Ｇ及び液晶パネル４０Ｂは、それぞれ、緑成分光及び青成分光の偏光方向を回転させることによって緑成分光及び青成分光を変調する。液晶パネル４０Ｇの光入射面側には、入射側偏光板４１Ｇが設けられており、液晶パネル４０Ｇの光出射面側には、出射側偏光板４２Ｇが設けられている。液晶パネル４０Ｂの光入射面側には、入射側偏光板４１Ｂが設けられており、液晶パネル４０Ｂの光出射面側には、出射側偏光板４２Ｂが設けられている。
【００５１】
クロスダイクロイックプリズム５０は、液晶パネル４０Ｒ、液晶パネル４０Ｇ及び液晶パネル４０Ｂから出射された光を合成する。クロスダイクロイックプリズム５０は、投写レンズ３１０側に合成光を出射する。
【００５２】
また、映像光生成部２００は、ミラー群（ダイクロイックミラー１１１、ダイクロイックミラー１１２、反射ミラー１２１〜反射ミラー１２３）と、レンズ群（コンデンサレンズ１３１、コンデンサレンズ１４０Ｒ、コンデンサレンズ１４０Ｇ、コンデンサレンズ１４０Ｂ、リレーレンズ１５１〜リレーレンズ１５２）とを有する。
【００５３】
ダイクロイックミラー１１１は、ＰＢＳアレイ３０から出射された光のうち、赤成分光及び緑成分光を透過する。ダイクロイックミラー１１１は、ＰＢＳアレイ３０から出射された光のうち、青成分光を反射する。
【００５４】
ダイクロイックミラー１１２は、ダイクロイックミラー１１１を透過した光のうち、赤成分光を透過する。ダイクロイックミラー１１２は、ダイクロイックミラー１１１を透過した光のうち、緑成分光を反射する。
【００５５】
反射ミラー１２１は、青成分光を反射して青成分光を液晶パネル４０Ｂ側に導く。反射ミラー１２２及び反射ミラー１２３は、赤成分光を反射して赤成分光を液晶パネル４０Ｒ側に導く。
【００５６】
コンデンサレンズ１３１は、光源１０が発する白色光を集光するレンズである。
【００５７】
コンデンサレンズ１４０Ｒは、液晶パネル４０Ｒに赤成分光が照射されるように、赤成分光を略平行光化する。コンデンサレンズ１４０Ｇは、液晶パネル４０Ｇに緑成分光が照射されるように、緑成分光を略平行光化する。コンデンサレンズ１４０Ｂは、液晶パネル４０Ｂに青成分光が照射されるように、青成分光を略平行光化する。
【００５８】
リレーレンズ１５１〜リレーレンズ１５２は、赤成分光の拡大を抑制しながら、液晶パネル４０Ｒ上に赤成分光を略結像する。
【００５９】
（作用及び効果）
第１実施形態では、防護カバー４００ａは、反射ミラー３２０で反射された映像光の光路上に設けられている。従って、ユーザが反射ミラー３２０に接触して反射ミラー３２０の角度などが変わることを抑制することができる。また、防護カバー４００ａは、反射ミラー３２０で反射された映像光を透過する透過領域４１０を有する。従って、投写面２１０上に照射される映像光が防護カバー４００ａによって妨げられることがない。このように、投写型映像表示装置１００と投写面２１０との距離の短縮を図るために設けられた反射ミラー３２０の配置精度を良好に保つことができる。
【００６０】
ここで、投写光学系の重量は、反射ミラー３２０が設けられていない構成に比べて大きいことに留意すべきである。従って、対向する側壁（側壁４０２及び側壁４０３）に設けられた取付け部に持ち手部（ハンドル５１０及びハンドル５２０）が取付けられることによって、ユーザは、投写型映像表示装置を容易に持ち運ぶことができる。
【００６１】
また、投写光学系３００は、投写光学系３００から出射された映像光の光軸方向において、筐体４００の中心に配置されるとは限らない。一方で、投写光学系３００は、投写光学系３００から出射された映像光の光軸方向の光軸に略直交する方向において、筐体４００の中心に配置されることが一般的である。
【００６２】
このようなケースにおいて、筐体４００の持ち運びに用いる持ち手部（ハンドル５１０及びハンドル５２０）は、側壁４０２に設けられた第１取付け部（取付け部４２１及び取付け部４２２）及び側壁４０３に設けられた第２取付け部（取付け部４３１及び取付け部４３２）取付けられる。側壁４０２及び側壁４０３は、投写光学系３００から出射された映像光の光軸に沿った基準面Ａを挟んで設けられる。
【００６３】
従って、映像光生成部２００及び投写光学系３００を収容する筐体４００の重量が、第１取付け部及び第２取付け部のいずれか一方にかかって、第１取付け部又は第２取付け部が破損することを抑制することができる。また、持ち手部の破損を抑制することができる。
【００６４】
第１実施形態では、ハンドル５１０及びハンドル５２０は、持ち手部として機能するだけではなくて、脚部としても機能する。従って、ハンドル５１０及びハンドル５２０によって、筐体４００の下面４０１と設置面２２０との間に空隙が形成される。これによって、筐体４００の下面４０１に排気口４４０を設けることができる。
【００６５】
［第２実施形態］
以下において、第２実施形態について、図面を参照しながら説明する。以下においては、第１実施形態と第２実施形態との相違点について主として説明する。
【００６６】
具体的には、第２実施形態では、筐体４００は、収容口を有する収容ポケットを有する。筐体４００は、ハンドルを摺動可能に支持する。ハンドルは、収容口をカバーする。
【００６７】
（ハンドルの摺動）
以下において、第２実施形態に係るハンドルの摺動について、図面を参照しながら説明する。図５は、第２実施形態に係るハンドルの摺動を示す図である。
【００６８】
図５に示すように、筐体４００は、収容口４５１を有する収容ポケット４５０を有する。収容ポケット４５０は、電源コードや映像ケーブルなどを収容するポケットである。収容口４５１は、電源コードや映像ケーブルなどを出し入れするための開口である。
【００６９】
取付け部４２１及び取付け部４３１は、ハンドル５１０を摺動可能に支持する。具体的には、取付け部４２１及び取付け部４３１は、位置Ｐと位置Ｑとの間において、Ｄ方向に沿ってハンドル５１０を摺動可能に支持する。例えば、取付け部４２１及び取付け部４３１は、位置Ｐと位置Ｑとの間でハンドル５１０を摺動させる溝などを有する。
【００７０】
取付け部４２１及び取付け部４３１は、位置Ｐにおいてハンドル５１０を回動可能に支持する。取付け部４２１及び取付け部４３１は、位置Ｑにおいてハンドル５１０を係止する。
【００７１】
取付け部４２２及び取付け部４３２は、ハンドル５２０を摺動可能に支持する。具体的には、取付け部４２２及び取付け部４３２は、位置Ｒと位置Ｓとの間において、Ｅ方向に沿ってハンドル５２０を摺動可能に支持する。例えば、取付け部４２２及び取付け部４３２は、位置Ｒと位置Ｓとの間でハンドル５２０を摺動させる溝などを有する。
【００７２】
取付け部４２２及び取付け部４３２は、位置Ｒにおいてハンドル５２０を回動可能に支持する。取付け部４２２及び取付け部４３２は、位置Ｓにおいてハンドル５２０を係止する。
【００７３】
図６及び図７は、第２実施形態に係る筐体４００の一部拡大図である。すなわち、図６及び図７は、ハンドル５２０の拡大図である。
【００７４】
図６に示すように、ハンドル５２０は、位置Ｒに摺動された状態において、回動軸５３２を中心として回動する。一方で、図７に示すように、ハンドル５２０は、位置Ｓに摺動された状態において、収容ポケット４５０に設けられた収容口４５１をカバーする。すなわち、ハンドル５２０の部分５２２は、収容口４５１をカバーする蓋として機能する。なお、ハンドル５２０の部分５２２は、収容口４５１に対応する形状を有する部分５２２ａを有することに留意すべきである。
【００７５】
（作用及び効果）
第２実施形態では、ハンドル５１０及びハンドル５２０は摺動可能に支持される。従って、投写型映像表示装置１００を収納する際に、投写型映像表示装置１００のコンパクト化を図ることができる。
【００７６】
また、ハンドル５２０は、位置Ｓに摺動された状態において、収容ポケット４５０に設けられた収容口４５１をカバーする。ハンドル５２０の部分５２２は、収容口４５１をカバーする蓋として機能する。従って、収容口４５１の蓋を別体で設ける必要がなく、部品点数を削減することができる。
【００７７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７８】
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
上述した実施形態では特に触れていないが、防護カバー４００ａは、反射ミラー３２０から投写面２１０側に連通する開口を有していてもよい。透過領域４１０は、このような開口であってもよい。
【００８０】
上述した実施形態では特に触れていないが、防護カバー４００ａの少なくとも一部は、透明樹脂やガラスなどの光透過性部材によって構成されていてもよい。透過領域４１０は、このような光透過性部材によって構成されていてもよい。
【００８１】
上述した実施形態では特に触れていないが、反射ミラー３２０は、反射ミラー３２０と投写面２１０との間において、映像光生成部２００から出射された映像光を集光する。透過領域４１０は、反射ミラー３２０によって映像光が集光される位置近傍に設けられることが好ましい。
【００８２】
上述した実施形態では、反射ミラー３２０として非球面ミラーを用いるケースについて例示したが、反射ミラー３２０はこれに限定されるものではない。例えば、反射ミラー３２０として自由曲面ミラーを用いてもよい。収差や解像度について工夫をすれば、反射ミラー３２０として球面ミラーを用いてもよい。
【００８３】
上述した実施形態では、映像光生成部２００の構成として複数の表示素子４０を用いるケース（３板式）について例示したが、映像光生成部２００の構成はこれに限定される物ではない。映像光生成部２００の構成として単数の表示素子４０を用いてもよい（単板式）。
【００８４】
上述した実施形態では、ハンドル５１０及びハンドル５２０は、持ち手部として機能するだけではなくて、脚部としても機能する。しかしながら、ハンドル５１０及びハンドル５２０は、持ち手部のみとして機能してもよい。このようなケースでは、ハンドル５１０及びハンドル５２０が半円弧状に回動する必要がないことに留意すべきである。
【００８５】
上述した実施形態では、１対のハンドル（ハンドル５１０及びハンドル５２０）が設けられているが、ハンドルの数は、これに限定されるものではない。ハンドルの数は、１つであってもよく、３つ以上であってもよい。
【００８６】
上述した実施形態では、持ち手部としてハンドル５１０及びハンドル５２０を例示したが、持ち手部は、これに限定されるものではない。持ち手部は、比較的柔らかい部材（皮など）によって構成された肩掛けベルトであってもよい。また、持ち手部の数が１つであってもよい。
【００８７】
持ち手部の数が１つである場合には、持ち手部が取付けられる取付け部は、側壁４０４及び側壁４０５に設けられることが好ましい。これによって、映像光生成部２００と投写光学系３００との重さのバランスが保たれる。
【００８８】
各実施形態によれば、上述したように、反射ミラー３２０を設けることによって、投写型映像表示装置と投写面との距離が短縮される。従って、投写型映像表示装置と投写面との間に人などが入り込んで、映像光が遮られることを抑制することができる。また、光源１０としてＬＤを用いた場合に、レーザ光（映像光）が人に照射される可能性を低減することができる
【図面の簡単な説明】
【００８９】
【図１】第１実施形態に係る投写型映像表示装置１００を示す図である。
【図２】第１実施形態に係るハンドル５１０及びハンドル５２０の回動を示す図である。
【図３】第１実施形態に係るハンドル５１０及びハンドル５２０の回動を示す図である。
【図４】第１実施形態に係る映像光生成部２００の構成を示す図である。
【図５】第２実施形態に係るハンドル５１０及びハンドル５２０の摺動を示す図である。
【図６】第２実施形態に係るハンドル５１０及びハンドル５２０の摺動を示す図である。
【図７】第２実施形態に係るハンドル５１０及びハンドル５２０の摺動を示す図である。
【符号の説明】
【００９０】
１０・・・光源、２０・・・フライアイレンズユニット、３０・・・ＰＢＳアレイ、４０・・・表示素子、４１・・・入射側偏向板、４２・・・出射側偏向板、５０・・・クロスダイクロイックプリズム、１００・・・投写型映像表示装置、１１１・・・ダイクロイックミラー、１１２・・・ダイクロイックミラー、１２１〜１２３・・・反射ミラー、１３１・・・コンデンサレンズ、１４０・・・コンデンサレンズ、１５１〜１５２・・・リレーレンズ、２００・・・映像光生成部、２１０・・・投写面、３００・・・投写光学系、３１０・・・投写レンズ、３２０・・・反射ミラー、４００・・・筐体、４００ａ・・・防護カバー、４０１・・・下面、４０２，４０３・・・側壁、４１０・・・透過領域、４２１，４２２，４３１，４３２・・・取付け部、４４０・・・排気口、４５０・・・収容ポケット、４５１・・・収容口、５１０，５２０・・・ハンドル、５３１，５３２・・・回動軸
【図１】
2009244378.tif 000003
【図２】
2009244378.tif 000004
【図３】
2009244378.tif 000005
【図４】
2009244378.tif 000006
【図５】
2009244378.tif 000007
【図６】
2009244378.tif 000008
【図７】
2009244378.tif 000009